(57)【要約】【課題】樹木の周囲の土壌中に動力源なしで強制的に空気を送り込むことができる空気補給具を提供する。【解決手段】樹木の周囲の地面に埋入される樹木活性化のための空気補給具であり、この空気補給具が、地面に所定深さで埋入され、底壁から下部に多数の孔があいた送気管が突出し、上端が開口したシリンダと、シリンダの開口端に上部が突出した状態で上下動可能に挿入され、その底壁とシリンダの底壁との間に形成されるシリンダ室に収容されるバネによって上方に付勢されるピストンとからなることを特徴とする樹木活性化のための空気補給具。【選択図】　　図１
2004019454.tif 000002
【特許請求の範囲】
【請求項１】
樹木の周囲の地面に埋入される樹木活性化のための空気補給具であり、この空気補給具が、地面に所定深さで埋入され、底壁から下部に多数の孔があいた送気管が突出し、上端が開口したシリンダと、シリンダの開口端に上部が突出した状態で上下動可能に挿入され、その底壁とシリンダの底壁との間に形成されるシリンダ室に収容されるバネによって上方に付勢されるピストンとからなることを特徴とする樹木活性化のための空気補給具。
【請求項２】
シリンダ又はピストンに、シリンダ室と外気とを僅かに連通する空気透過手段が施される請求項１の樹木活性化のための空気補給具。
【請求項３】
シリンダ室にトルマリン原石を始めとするマイナスイオン発生体を入れた請求項１又は２の樹木活性化のための空気補給具。
【請求項４】
樹木の周囲に請求項１〜３いずれかに記載の樹木活性化のための空気補給具を埋設し、人がピストンの上に乗ることによる押圧によって外気をシリンダ室から送気管を通して土中に強制的に送ることを特徴とする樹木活性化のための空気補給具による樹木活性化方法。
【発明の詳細な説明】
【０００１】
【発明の属する技術分野】
本発明は、公園や遊園地等に植えられた樹木を活性化する空気補給具及びこの空気補給具による樹木活性化方法に関するものである。
【０００２】
【従来の技術】
公園や遊園地等に植えられた樹木は、その周囲を人が歩行したりして（車が走行することもある）土壌が踏み固められ、高密度化する。こうなると、根の拡延が妨げられるとともに、養水分の補給が不十分になって樹勢が衰えることがある。又、人の歩行等が少なくてあまり踏圧がかからないときでも、土壌は自然に高密度化するから、果樹や庭木等でもこの現象は起こる。このため、樹木の周囲の土壌に孔をあけ、この孔から空気を補給してやる、所謂、エアレーションを行なうことがある。
【０００３】
【発明が解決しようとする課題】
このエアレーションには、空気（養水分も含む）を強制的に送り込む強制式と、土壌に孔等を穿って空気が導入し易い環境を作り、空気が入り易くする自然式とがある。強制式は、多くの空気を送り込むことができる反面、コンプレッサやポンプを必要とし、コストが非常に高くつく。これに対して、自然式は、動力を必要としないから、低コストであり、かつ、環境に優しいが、送気量が十分でないといった欠点がある。本発明は、この自然式を改良したもので、人が踏む力を利用して空気を強制的に地中に送り込むようにしたものである。
【０００４】
【課題を解決するための手段】
以上の課題の下、本発明は、請求項１に記載した、樹木の周囲の地面に埋入される樹木活性化のための空気補給具であり、この空気補給具が、地面に所定深さで埋入され、底壁から下部に多数の孔があいた送気管が突出し、上端が開口したシリンダと、シリンダの開口端に上部が突出した状態で上下動可能に挿入され、その底壁とシリンダの底壁との間に形成されるシリンダ室に収容されるバネによって上方に付勢されるピストンとからなることを特徴とする樹木活性化のための空気補給具を提供したものである。
【０００５】
以上の空気補給具によれば、人がピストンの上に乗ると、その重量でピストンはシリンダの中をバネに抗して下がり、シリンダ室に溜まっている空気を送気管の孔を通して地中に強制的に送り込む。これにより、樹木の根には十分な空気が供給される。そして、人がピストンから降りると、ピストンはパネの力で上昇して元の位置で待機することになる。このような空気補給具を樹木の周囲に何個か設置しておけば、根の周辺には十分な量の空気が送り込まれることになる。この場合、請求項２に記載のように、シリンダ室にトルマリン原石を始めとするマイナスイオン発生体を入れておけば、送り込まれる空気にマイナスイオンが含まれることになり、活性化はより促進する。
【０００６】
【発明の実施の形態】
以下、本発明の実施の形態を図面を参照して説明する。図１は本発明の一例を示す空気補給具の断面図であるが、この空気補給具Ａは、上部が開口するシリンダ１と、シリンダ１の開口端から挿入されるピストン２とから構成される。シリンダ１は、その底壁から下部に微細な孔３が多数形成される送気管４が突出するものである。送気管４の孔３が形成された個所は、外部から侵入する土砂による孔３の目詰まりを防ぐために、通気性があるカバー５で覆われており、挿入抵抗を軽減するために、カバー５の先端は尖った形状にしてある。
【０００７】
ピストン２は、シリンダ１に摺動可能に挿入されるものであるが、上動したときには、その上端はシリンダ１の上端よりも僅か突出しており、下動したときには、その底壁とシリンダ２の底壁との間に一定容積のシリンダ室６が確保されるものである。このシリンダ室６にはバネ（本例ではコイルバネ）７が収容されており、これにより、ピストン２は、パネ７によって常に上方に付勢されていることになる。尚、ピストン２の下部外周には、シリンダ１の内壁との間のシールを図るパッキン８が嵌装されている。
【０００８】
図２はこのパッキン８の嵌装状態を示す要部断面図であるが、ピストン２の外周に凹溝９等を形成してパッキン８をこの凹溝９に嵌合するとすれば、摺動抵抗によっても、パッキン８は外れない。又、ビス止め等によってもよく、この場合は、凹溝９は必ずしも必要ではない。尚、このパッキン８は、リング状のものであってもよいし（凹溝９に嵌合する程度の弾性変形が可能なもの）、帯状のものを巻装したものでもよい。ピストン２にパッキン８を嵌装すると、その厚み分だけ、ピストン２の外周とシリンダ２の内周との間に僅かな隙間ができ、ここから土砂が侵入してくるおそれがある。そこで、シリンダ２の上端にダストシールを兼ねるカバー１０を被せておく。
【０００９】
図６は以上の構成の空気補強具Ａの使用状態を示す説明図であるが、この空気補強具Ａを複数個、樹木Ｂの周囲を取り囲むようにして設置する。具体的には、シリンダ１をその上端を僅かに地面上に突出した状態にして地面に埋入する。そして、人が通りかかってピストン２の上に乗ると、その体重でピストン２はバネ７に抗して下動し、このときシリンダ室６に溜まっていた空気は送気管４の孔３から土中に強制的に送り込まれる。尚、この場合、シリンダ室６にトルマリン原石を始めとするマイナスイオン発生体をバネ７の縮み等に邪魔にならないように入れておけば、送り込まれる空気にマイナスイオンが含まれ、樹木の活性化はより促進する。ところで、人の体重には軽重があり、又、大人と子供でも差があるが、強制送気の機会をできるだけ増やす為には、子供の体重でも下動するようにバネ７の力を設定しておくのが適する。特に、子供は、面白がって乗り降りを繰り返すから、多くの空気が送り込まれることになる。
【００１０】
この場合、ピストン２が下動しても、その上端はシリンダ２の上端よりもなお上方に突出しているのが適するし、下動の際には、そのストロークエンドが規制される必要がある。ストロークエンドの設定は、バネ７の圧縮厚みで規制してもよいし、図１に示すように、シリンダ２にストッパ１１を設けてもよい。又、このとき、シリンダ２が体重によっても沈下しないように、その底壁は平坦にしてこの部分で体重を受け止めるようにしている。図３はこの沈下防止を示す他の例であるが、シリンダ２の埋入上端にフランジ１２を突設しておき、このフランジ１２でも体重を受けるとすれば、沈下防止を一層確実なものとする。
【００１１】
ピストン２を下動させてシリンダ室６内の空気を送気管４に送り込むとき、シリンダ室６に入って来た土砂等が送気管４に送られると、孔３が目詰まりするおそれがある。図４はこれを防止する要部断面図であるが、送気管４の入口に微細孔が形成されたフィルター１３を設けておくと、これを防止することができる。
【００１２】
人がピストン２から降りると、ピストン２はバネ７の力で上動するが、このとき、シリンダ室６に外気が容易に入って来る必要がある。そこで、シリンダ室６と外気とを僅かに連通する空気透過手段が必要になる。この空気透過手段として、例えば、図３に示すように、パッキン８の一部に小さな溝１４等を設けておくことが考えられる。ピストン２の下動は急激に行なわれるから、この溝１４からの空気の逃げはほとんど問題とならず、十分な送気量を確保できる。
【００１３】
図５はこの空気透過手段の他の例を示す要部断面図であるが、ピストン２の内部とシリンダ室６とを連通させておくとともに、常時シリンダ２より突出している部分の周壁に外気の導入のみを許容する逆止弁１４を設けてもよい。この逆止弁１５は、外気に通ずる小孔１６（これにもフィルターを設けておくが好ましい）と、この小孔１６の内側を塞ぐボール１７を常時小孔１６側に押圧しているスプリング１８からなる簡単なものでよい。
【００１４】
以上の空気補給具Ａのサイズ等については適宜に設定すればよいが、例えば、シリンダ１は、外径が４００ｍｍ、高さが３５０ｍｍで、ピストン２のストロークが１００ｍｍ程度のものであれば、低荷重でもスムーズに作動する。一方、送気管４は、太さが５０ｍｍ程度が適し、長さは１０００ｍｍ位のものが最も根が集中している個所に届いて好ましい。勿論、これは一例であって、これらに限定されるものではない。又、材質は、防錆処理がされた金属や樹脂或いは陶器といったものが考えられる。
【００１５】
【発明の効果】
以上、本発明の空気補給具によれば、人がピストンの上に乗り降りするだけで（動力源を必要としない）空気は樹木の根元に強制的に送り込まれ、樹木を活性化させる。この場合において、一本の樹木の周囲には複数の空気補給具が設置されるから、相当な空気量が送り込まれる。加えて、この空気補給具は、シリンダとピストン等からなる簡単な構造であるから、極めて安価に製作できる。
【図面の簡単な説明】
【図１】本発明の一例を示す空気補給具の断面図である。
【図２】ピストンの要部断面図である。
【図３】シリンダの要部断面図である。
【図４】送気管の要部断面図である。
【図５】逆止弁の断面図である。
【図６】空気補給具の使用状態を示す説明図である。
【符号の説明】
Ａ　　空気補給具
Ｂ　　樹木
１　　シリンダ
２　　ピストン
３　　孔
４　　送気管
６　　シリンダ室
７　　バネ
８　　パッキン
１４　逆止弁
【図１】
2004019454.tif 000003
【図２】
2004019454.tif 000004
【図３】
2004019454.tif 000005
【図４】
2004019454.tif 000006
【図５】
2004019454.tif 000007
【図６】
2004019454.tif 000008